(57)【要約】【課題】餌入れ部材と支持部材とをインサート成形したペット用餌入れ容器において、優れた強度、耐久性を有して形成することができるペット用餌入れ容器を提供することを目的とする。【解決手段】容器本体の中央上部から餌や液体を収容可能に凹状に形成した餌入れ部材１２と、該餌入れ部材１２の外周側から餌入れ部材１２を支持する支持部材２２とで構成し、上記支持部材２２を樹脂材料で形成するとともに、上記餌入れ部材１２を支持部材２２の形成材料以外の材料で形成し、上記支持部材２２と上記餌入れ部材１２とをインサート成形し、上記支持部材２２に対する上記餌入れ部材１２の抜止め用の結合部１７を備えたペット用餌入れ容器１１であって、上記結合部１７は、上記容器本体の上部１８（１８Ｕ）よりも下側部分に備えた。【選択図】図１
2010115170.tif 000002
【特許請求の範囲】
【請求項１】
容器本体の中央上部から餌や液体を収容可能に凹状に形成した餌入れ部材と、該餌入れ部材の外周側から餌入れ部材を支持する支持部材とで構成し、上記支持部材を樹脂材料で形成するとともに、上記餌入れ部材を支持部材の形成材料以外の材料で形成し、上記支持部材と上記餌入れ部材とをインサート成形し、上記支持部材に対する上記餌入れ部材の抜止め用の結合部を備えたペット用餌入れ容器であって、
上記結合部は、上記容器本体の上部よりも下側部分に備えた
ペット用餌入れ容器。
【請求項２】
上記結合部を上記容器本体の上部に対して外周側に備えた
請求項１に記載のペット用餌入れ容器。
【請求項３】
上記餌入れ部材を金属材料で形成した
請求項１、又は、２に記載のペット用餌入れ容器。
【請求項４】
上記金属材料は、ステンレスであることを特徴とする
請求項３に記載のペット用餌入れ容器。
【請求項５】
上記餌入れ部材の外周縁部を裏側から補強する補強部を、上記支持部材に形成した
請求項２から４のいずれかに記載のペット用餌入れ容器。
【発明の詳細な説明】
【技術分野】
【０００１】
この発明は、ペット用品に関し、詳しくは、ペットが噛むなどしても傷付いたり破損することを効果的に防止することのできるペット用餌入れ容器に関する。
【背景技術】
【０００２】
従来より、ペット用餌入れ容器は、全体が金属製のもの、或いは、樹脂製（プラスチック製）のものなど様々な材質で形成したものが普及している。
【０００３】
しかし、金属製のペット用餌入れ容器は、樹脂製のものよりも、重くなり、持ち運び難いという難点を有する。さらに、金属製のペット用餌入れ容器は、単純な椀型形状であればプレス加工などにより容易に形成することが可能であるが、例えば、支持部材に、手を差込むための差込部を備えた形状など、複雑な形状になればなる程、歪みなどが生じ易くなり、加工が困難になるという難点も有している。
【０００４】
一方、樹脂製のペット用餌入れ容器は、金属製のものと比較して強度、耐久性に劣るという難点があり、特に上記餌入れ部材の表面が傷付くと、収容した餌の残片が表面に残留し易くなり、衛生面や手入れの観点からも好ましくない。
【０００５】
そこで、図９に示したペット用餌入れ容器１００のように、異なる材質同士である、餌入れ部材１０１と支持部材１０２とをインサート成形したものが提案されている。ペット用餌入れ容器１００は、餌入れ部材１０１を金属材料で形成し、支持部材１０２を樹脂材料で形成している。
【０００６】
ところで、ペットの中でも犬を例にとると、犬は、一般に成長過程において歯がうずいたり、痒くなったりするため、物体を噛みたくなるという習性を有し、また、成長後も遊びやストレス解消のために物体を噛むことが多い。
【０００７】
そして、ペット用餌入れ容器１００の容器本体の上部１０４は、地面に設置した状態で上方へ突出した突形状であるとともにペットＰが噛み易い容器本体の上部１０４に位置するため、位置的、形状的にもペットＰに噛まれ易い部分となる（図９参照）。
【０００８】
さらに、容器本体の上部１０４は、餌入れ部材１０１と支持部材１０２との境界位置となり、この境界位置に、インサート成形した餌入れ部材１０１と支持部材１０２とにおける互いの結合部１０３が形成されるため、該結合部１０３がペットに噛まれ易い部分となる。
【０００９】
そうすると、ペットが玩具扱いしてペット用餌入れ容器１００を日常的に噛んだ場合、図９中の要部拡大図に示したように、結合部１０３における強度が低い樹脂材料部分１０２ａが傷付いたり、捲れるなどして破損し、餌入れ部材１０１と支持部材１０２との一体性を確保できず、十分な強度を保つことができないという難点を有していた。
【発明の開示】
【発明が解決しようとする課題】
【００１０】
そこでこの発明は、餌入れ部材と支持部材とをインサート成形したペット用餌入れ容器において、優れた強度、耐久性を有して形成することができるペット用餌入れ容器を提供することを目的とする。
【課題を解決するための手段】
【００１１】
本発明は、容器本体の中央上部から餌や液体を収容可能に凹状に形成した餌入れ部材と、該餌入れ部材の外周側から餌入れ部材を支持する支持部材とで構成し、上記支持部材を樹脂材料で形成するとともに、上記餌入れ部材を支持部材の形成材料以外の材料で形成し、上記支持部材と上記餌入れ部材とをインサート成形し、上記支持部材に対する上記餌入れ部材の抜止め用の結合部を備えたペット用餌入れ容器であって、上記結合部は、上記容器本体の上部よりも下側部分に備えたことを特徴とする。
【００１２】
上記構成により、ペット用餌入れ容器は、普段、ペットの周辺に置いて用いられることから、ペットが例えば、おもちゃとして噛むことが多く、容器本体の中でも突状の上部が形状的、位置的にペットに噛まれ易い部分となる。このため、インサート成形した容器本体と支持部材との互いの結合部を、容器本体上部よりも下側部分に備えることで、上記結合部がペットに噛まれることを回避することができる。
【００１３】
よって、仮にペットがペット用餌入れ容器を噛んでも、上記結合部の樹脂材料部分が捲れたり、傷付いたりして破損することがなく、餌入れ部材と支持部材とを、優れた一体性を有して構成することができる。
【００１４】
すなわち、ペット用餌入れ容器は、餌入れ部材と支持部材との結合部を容器本体上部に有する従来のペット用餌入れ容器と比較してペットが噛んでも、異なる部材同士を結合する結合部における一体性が損なわれないため、優れた強度、耐久性を有して構成することができる。
【００１５】
また、例えば、結合部が噛まれることにより、容器本体と支持部材との間に隙間が生じ、この隙間に、犬の唾液、餌の残片、泥などの汚れが入り込むこともないため、衛生的であり、水洗いなどにより汚れを容易に除去することもできる。
【００１６】
さらに、ペット用餌入れ容器は、餌入れ部材を樹脂材料で形成した支持部材と異なる材料で形成することで、容器全体が樹脂製のものと比較して、強度や耐熱性に優れた材料で形成することが可能となり、より一層、餌入れ部材を餌や水などを収容して用いるに適した材料で形成することができる。
【００１７】
この発明の態様として、上記結合部を上記容器本体の上部に対して外周側に備えることができる。
【００１８】
上記構成により、結合部が餌入れ部材に収容した餌に直接、接触しないため、該結合部における支持部材と餌入れ部材との間に餌の残片やペットの唾液が入り込むことがないため、衛生的であり、水洗いなどにより汚れを容易に除去することもできる。
【００１９】
さらに、結合部を、容器本体の上部に対して外周側に備えることで、ペットが餌を食べる際に餌入れ部に口を入れて食べる際に、ペットの歯が結合部に接触することがなく、結合部が磨耗などにより破損することを回避することができる。
【００２０】
またこの発明の態様として、上記餌入れ部材を金属材料で形成することができる。
【００２１】
上記構成により、餌入れ部材を高い強度で形成することができる。  
例えば、餌入れ部材に餌を入れ、ペットが餌を食べる際に、ペットの歯や、粒状の硬質なペットフードが、餌入れ部材に接触し、餌入れ部材の表面が傷付くことを防止することができる。
【００２２】
さらに、上述したように、結合部を、容器本体の上部よりも外周側の下側部分に備えた構成の場合、餌入れ部材が金属製であれば、ペットに噛まれ易い容器本体の上部も金属製とすることができる。よって、ペットが容器本体の上部を噛んだ場合でも、該容器本体の上部が傷付いたり凹凸に変形することなく、容器全体の強度を効率的に向上させることができ、見栄えを良好に保つことができる。
【００２３】
さらに、ペット用餌入れ容器は、支持部材を樹脂材料で形成しているため、その分、全体が金属製のものと比較して軽量化を図ることができ。さらに例えば、支持部材に差込部を備えた形状でも成形により容易に製造することができ、優れた加工性を備えて形成することもできる。
【００２４】
なお、上記餌入れ部材は、金属材料で形成するに限らず、例えば、陶器、磁器で形成してもよい。さらに、上記餌入れ部材は、支持部材を形成した樹脂材料と異なる樹脂材料で形成することもできる。この場合、例えば、樹脂材料の中でも、例えば、耐摩耗性に優れたメラミン樹脂で形成することができる。
【００２５】
この発明の態様として、上記金属材料は、ステンレスであることが好ましい。
【００２６】
上記金属材料がステンレスであることにより、ペットが噛むなどしても傷がついたり、破損することがなく、優れた強度で形成することができる。さらに、ステンレスは、防錆性にも優れているため、屋外で用いたり、水を貯溜しても錆びることなく長期に亘って使用することができる。
【００２７】
なお、上記餌入れ部材は、ステンレス以外にも例えば、アルミなどの防錆性を有した他の金属材料で形成してもよい。
【００２８】
またこの発明の態様として、上記餌入れ部材の外周縁部を裏側から補強する補強部を、上記支持部材に形成することができる。
【００２９】
上記補強部により、餌入れ部材の外周縁部を凹んだりしないよう裏面側から補強することができる。さらに、上記補強部を上記餌入れ部材の外周縁部の裏側に備えることで、補強部自体は、容器本体の表面に露出せず、ペットが上記本体上部を噛んだときも、直接、ペットの歯が接触することがないため、樹脂材料で形成したものであっても傷付いたり破損することない。
【００３０】
さらにまた、上記餌入れ部材は、補強部で裏側から補強される分、外周縁部を含めた全体の薄肉化を図ることができ、軽量化、コストの削減を実現することができる。
【発明の効果】
【００３１】
本発明により、餌入れ部材と支持部材とをインサート成形したペット用餌入れ容器において、優れた強度、耐久性を有して形成することができるペット用餌入れ容器を提供することができる。
【発明を実施するための最良の形態】
【００３２】
この発明の一実施形態であるペット用餌入れ容器１１について以下図面を用いて説明する。  
本実施形態のペット用餌入れ容器１１は、図１から図６に示すように主に、餌や液体を収容可能な餌入れ部材１２と、該餌入れ部材１２の外周側から餌入れ部材１２を支持する支持部材２２とで構成している。
【００３３】
なお、図１、図２、図３、図４、及び、図５は、それぞれペット用餌入れ容器１１の外観図、平面視したとき中心を通る切断面で切断した中央縦断面図、正面図、平面図、底面図を示している。図６は、図５におけるＡ−Ａ線断面における一部拡大図を示している。
【００３４】
上記ペット用餌入れ容器１１は、上記餌入れ部材１２と上記支持部材２２とをインサート成形し、上記支持部材２２に対する上記餌入れ部材１２の抜止め用の結合部１７を備えて一体に構成している。
【００３５】
餌入れ部材１２は、ステンレス製であり、内部に餌などを収容可能な収容空間１５Ａを有した略有底円筒状の収容凹部１５と、該収容凹部１５の上端外周側に有する外周縁部１６とを有してプレス成形により一体に構成している。  
なお、餌入れ部材１２は、全体を０．５ｍｍの肉厚で構成している。また、収容凹部１５の内周面には、貯溜した液体の容量が視認できるようメモリを形成してもよい。
【００３６】
外周縁部１６は、図２中の要部拡大図に示すように、容器本体の上端部１８Ｕから半径方向外側へ突出しながら垂下する反り返り形状で形成している。換言すると、外周縁部１６は、容器本体の上端部１８Ｕよりも半径方向外側へ滑らかに張り出しながら垂下する断面視弧形状で形成している。
【００３７】
上記構成により、外周縁部１６の裏側には、該外周縁部１６と収容凹部１５の上部とで構成される溝状空間１６Ａを有している。
【００３８】
上記支持部材２２は、アクリロニトリルブタジエンスチレン共重合合成樹脂（ＡＢＳ樹脂）によりインサート成形の際に成形される。  
上記支持部材２２は、図２、及び、図５に示すように、内部に、餌入れ部材１２の収容凹部１５を収容可能な中空空間２２Ａを有するよう、支持部材本体２３と補強部２４とで末広がりの円筒形状で形成している。
【００３９】
支持部材本体２３の下部であって、周方向において互いに対向する所定の各部位には、手を差込み可能に下端部から切り欠いた形状の差込部２５Ａを形成している。
【００４０】
さらに、支持部材本体２３は、図５に示すように、その内周壁面を周方向において８等分配する各部分であって上記２つの差込部２５Ａ，２５Ａを有する箇所を除いた６つの部分に、半径方向内側に向けて突出したリブ２６を形成している。
【００４１】
また、補強部２４は、図２中要部拡大図に示すように、餌入れ部材１２の外周縁部１６を裏面側から補強するよう、外周縁部１６の裏側の溝状空間１６Ａに備え、支持部材本体２３の上端外周部から外周縁部１６の裏面に沿った断面視弧形状で突出している。  
また、結合部１７は、図２中要部拡大図に示すように、ペットが容器本体の上部１８を、ペットが噛もうとしても噛まれることがないよう、餌入れ部材１２の外周縁部１６の下端部に位置し、容器本体の上端部１８Ｕより目安として１３ｍｍ以上下方に備えている。
【００４２】
さらにまた、結合部１７は、餌入れ部材１２側に有する餌入れ部材側結合部１７Ｘと、支持部材２２側に有した支持部材側結合部１７Ｙとから成り、これら餌入れ部材側結合部１７Ｘと支持部材側結合部１７Ｙとを相互に結合することで支持部材２２に対して餌入れ部材１２が抜けることを阻止している。
【００４３】
餌入れ部材側結合部１７Ｘは、外周縁部１６の下端部から半径方向外側へ鍔状に突出し、上記支持部材２２と結合している。
【００４４】
支持部材側結合部１７Ｙは、餌入れ部材側結合部１７Ｘを囲繞するよう該餌入れ部材側結合部１７Ｘと結合している。
【００４５】
また、ペット用餌入れ容器１１は、図５に示すように、支持部材２２の周方向における差込部２５Ａに対して両側部分の下端部に、設置部材３２をそれぞれ備え、これら合計４つの設置部材３２を介して地面に設置される。
【００４６】
詳しくは、図５、及び、図６に示すように、支持部材２２の下端部には、周方向における差込部２５Ａに対して両側部分には、設置部材３２を嵌め込み可能な嵌め込み孔１８Ａを形成している。
【００４７】
設置部材３２は、地面に設置する設置部３３と、嵌め込み部３４とで一体に形成し、ペット用餌入れ容器１１を地面に置いたとき、滑り難いようシリコンゴムで形成している。
【００４８】
設置部３３は、支持部材２２の肉厚と略同じ幅で形成され、該支持部材２２の下端部に沿った弧形状で形成している。嵌め込み部３４は、設置部３３より一回り幅小に形成し、嵌め込み孔１８Ａへ嵌め込み可能に、先端部に向けて幅小となる突出形状で形成している。
【００４９】
上述した構成のペット用餌入れ容器１１の作用、効果について詳述する。  
上記ペット用餌入れ容器１１は、上述したように上記結合部１７を、上記容器本体の上端部１８Ｕよりも下側部分に備えて構成してる。
【００５０】
このため、上記結合部１７がペットに噛まれることを回避することができる。
【００５１】
詳しくは、犬などのペットは、一般に成長過程において物体を噛みたくなるという習性を有し、また、成長後も遊びやストレス解消のために物体を噛むことも多い。
【００５２】
このため、普段、ペットの周辺に置いて用いられるペット用餌入れ容器１１がペットに噛まれることが多く、地面に置いた状態においては、ペット用餌入れ容器１１の上部１８が上方へ突出した形状であるため、特に噛まれ易い部分となる。
【００５３】
よって、結合部１７を、ペットに噛まれ易い上記容器本体の上部１８よりも下側部分に備えることで、ペットが、容器本体を噛もうとしても、図７に示すように、容器本体の上部１８が噛まれるだけで、結合部１７がペットＰに噛まれることがないため、結合部１７における樹脂材料部分が剥離したり、破損することがなく、餌入れ部材１２と支持部材２２との一体性が損なわれることなく、優れた強度、耐久性で構成することができる。  
なお、図７は、ペット用餌入れ容器１１の作用説明図を示す。
【００５４】
また、上記結合部１７を、上記容器本体の上部１８よりも下側部分に備えてペットに噛まれることを回避することで、仮に、結合部１７をペットが噛んだ場合のように、結合部１７に有する、餌入れ部材１２と支持部材２２との間に、ペットの唾液が浸入することがなく、また、餌入れ部材１２と支持部材２２との間に、隙間が形成されることで、該隙間に餌の残片、泥などの汚れが入り込むこともないため、衛生的であり、水洗いなどにより汚れを容易に除去することもできる。
【００５５】
さらに、結合部１７は、容器本体の上部１８に対して外側に有する外周縁部１６の下端部に備えることで、餌や水を収容する収容凹部１５に備えないで構成することができる。これにより、収容凹部１５に収容した餌に直接、結合部１７が触れることがなくなるため、結合部１７に有する、容器本体と支持部材２２との間に、ペットの餌の残片が入り込むことがなく、衛生的であり、また、収容凹部１５に収容した餌をペットが食べる際に、結合部１７にペットの歯が接触して磨耗することを防ぐことができる。
【００５６】
さらにまた、餌入れ部材１２は、ステンレス製であり、外周縁部１６を備えているため、ペットに噛まれ易い容器本体の上部１８を硬質に形成することができる。よって、ペットが容器本体の上部１８を噛んだ場合も、傷付いたり、変形したりせず、破損することがないため、全体の強度、耐久性を効率的に向上させることができる。
【００５７】
また、補強部２４を上述したように支持部材２２に形成することにより、該補強部２４は、外周縁部１６に対して裏側から略密着し、外周縁部１６を裏面側からしっかりと支持した状態で補強することができる。
【００５８】
補強部２４自体は、支持部材２２の一部として樹脂材料で形成したものであるが、上記補強部２４を上記餌入れ部材１２の外周縁部１６の裏側に備えることで、外周縁部１６よりも表側に露出せず、容器本体の上部１８をペットが噛んだときも、直接、ペットの歯が接触することがないため、傷付いたり破損することなく外周縁部１６を補強することができる。
【００５９】
さらに、餌入れ部材１２は、ステンレス製であるが、その一部を構成する外周縁部１６を補強部２４で裏側から補強する分、ペットが噛んだ場合にも、該外周縁部１６が凹んだり、変形したりすることをより一層、防ぐことができ、餌入れ部材１２自体の薄肉化を図ることができ、軽量化、コストの削減を実現することができる。
【００６０】
また、ペット用餌入れ容器１１は、異なる材料で形成した支持部材２２と餌入れ部材１２とをインサート成形することにより、以下のような効果を得ることができる。
【００６１】
例えば、餌入れ部材１２は、ステンレス製であるため、収容凹部１５に餌を入れた状態で、ペットが餌を食べる際に、ペットの歯や、粒状の硬質なペットフードが、餌入れ部材１２の表面に接触するが、傷付くことを防止することができる。
【００６２】
さらに、餌入れ部材１２は、ステンレス製であるため、収容凹部１５に水を溜めた状態においても、錆びることがなく、長期に亘って使用することができる。
【００６３】
一方、支持部材２２は、樹脂材料で形成しているため、差込部２５Ａを有した形状であっても、成形により容易に製造することができる。すなわち、例えば、差込部２５Ａを有した形状の支持部材２２を金属材料により形成する場合は、例えば、プレス加工後に、追加工により差込部２５Ａを形成する必要があるが、樹脂材料であれば、成形により優れた加工性を発揮することができ、複雑な形状であっても容易に製造することができる。
【００６４】
さらに、支持部材２２を樹脂材料で形成することにより、その分、ペット用餌入れ容器１１全体をステンレスで形成する場合と比較して全体の軽量化を図ることができる。
【００６５】
また、本実施形態のペット用餌入れ容器１１は、上述したように、様々な作用、効果を得ることができるが、本発明のペット用餌入れ容器は、上述した実施形態に限定せず、その他にも様々な実施形態で形成することができる。  
例えば、図８に示すように、ペット用餌入れ容器５１は、上記結合部５７を、上記容器本体の上部１８よりも下側部分に備えている点で、上述したペット用餌入れ容器１１と同様の構成であるが、上記結合部５７を上記容器本体の上端部１８Ｕに対して餌入れ部材５２側に備えて構成することができる。  
なお、図８は、一部拡大して示した他の実施形態のペット用餌入れ容器５１の中央縦断面図を示す。  
以下、他の実施形態のペット用餌入れ容器５１について説明するが、上述したペット用餌入れ容器１１と同じ構成の部分については、同一の符号を付してその説明を省略する。
【００６６】
他の実施形態のペット用餌入れ容器５１は、支持部材５３の上部が容器本体の上端部１８Ｕに達するよう形成し、容器本体の上端部１８Ｕに達した後、略真直ぐに垂下し、餌を収容可能な有底円筒形状部分の上端部を構成している（図８中の要部拡大図参照）。
【００６７】
餌入れ部材５２は、外周縁部１６を備えずに収容凹部１５のみで形成し、収容凹部１５の上端部５２ａは、容器本体の上部１８に達しないよう形成し、支持部材５３の上部の垂下部分５３ａと対向している（図８中の要部拡大図参照）。
【００６８】
結合部５７は、支持部材５３の上部の垂下部分５３ａと、餌入れ部材５２（収容凹部１５）の上端部５２ａとの対向部分に備えている。すなわち、支持部材側結合部５７Ｙは、支持部材５３の上部の垂下部分５３ａに形成し、餌入れ部材側結合部５７Ｘは、餌入れ部材５２の上端部５２ａに、外側へ突出した鍔状に形成している。
【００６９】
上述した構成のペット用餌入れ容器５１は、結合部５７を、上記容器本体の上部１８よりも下側部分に備えているため、ペットが容器本体の上部１８を噛んだ場合にも、結合部５７がペットに噛まれることを回避することができ、上述したペット用餌入れ容器１１と同様に、ペットが噛むことに対して優れた強度、耐久性を発揮することができる。
【００７０】
本発明のペット用餌入れ容器は、上述したように、結合部１７，５７を、容器本体の上部１８よりも下側部分に備えた構成であれば、容器本体の上部１８に対して外周側、真下側、内周側、支持部材側２２，５３、或いは、餌入れ部材１２，５２側に備えることができる。
【００７１】
また、上述した実施形態と、この発明の構成との対応において、この実施形態の容器本体の上部１８、或いは、上端部１８Ｕは、この発明の容器本体の上部に対応するも、この発明は、上述の実施形態の構成のみに限定されるものではなく、多くの実施の形態を得ることができる。
【図面の簡単な説明】
【００７２】
【図１】本実施形態のペット用餌入れ容器の外観図。
【図２】本実施形態のペット用餌入れ容器の中央縦断面図。
【図３】本実施形態のペット用餌入れ容器の正面図。
【図４】本実施形態のペット用餌入れ容器の平面図。
【図５】本実施形態のペット用餌入れ容器の底面図。
【図６】図５のＡ−Ａ線断面の要部拡大図。
【図７】本実施形態のペット用餌入れ容器の作用説明図。
【図８】他の実施形態のペット用餌入れ容器の構成説明図。
【図９】従来のペット用餌入れ容器の説明図。
【符号の説明】
【００７３】
１１，５１…ペット用餌入れ容器
１２，５２…餌入れ部材
２２，５３…支持部材
１７，５７…結合部
１６…外周縁部
２４…補強部
１８…容器本体の上部
１８Ｕ…容器本体の上端部
【図１】
2010115170.tif 000003
【図２】
2010115170.tif 000004
【図３】
2010115170.tif 000005
【図４】
2010115170.tif 000006
【図５】
2010115170.tif 000007
【図６】
2010115170.tif 000008
【図７】
2010115170.tif 000009
【図８】
2010115170.tif 000010
【図９】
2010115170.tif 000011